(57)【要約】      （修正有）【課題】契約と為替予約とを紐づけることにより、契約に為替予約を振当てることができる契約関連情報管理装置、契約関連情報管理方法および契約関連情報管理プログラムを提供する。【解決手段】契約関連情報管理装置は、取引の契約に関連する契約関連情報を含む契約データを作成する契約データ作成部と、契約に付随して必要となる為替予約に関する為替予約データを作成する為替予約データ作成部と、を有する。【選択図】図１
2019220108.tif 000002
【特許請求の範囲】
【請求項１】
取引の契約に関連する契約関連情報を管理するための、制御部を備えた契約関連情報管理装置であって、
前記制御部は、
前記契約関連情報を含む契約データを作成する契約データ作成手段と、
前記契約に付随して必要となる為替予約に関する為替予約データを作成する為替予約データ作成手段と
を備え、
前記為替予約データ作成手段は、前記為替予約データとして、
前記契約データ作成手段で作成された前記契約データに含まれる情報を含む為替予約データを作成する
ことを特徴とする契約関連情報管理装置。 
【請求項２】
前記為替予約データ作成手段は、前記為替予約データに基づき、前記為替予約を依頼する為替予約依頼データを作成する
ことを特徴とする請求項１に記載の契約関連情報管理装置。 
【請求項３】
前記為替予約データ作成手段は、前記為替予約の入力に基づき、前記為替予約データを更新する
ことを特徴とする請求項１または２に記載の契約関連情報管理装置。 
【請求項４】
前記制御部は、
事前に締結された前記為替予約を示す為替予約データを選出する選出手段
をさらに備え、
前記為替予約データ作成手段は、前記選出手段が選出した前記為替予約データから選択された前記為替予約データに、前記契約データ作成手段で作成された前記契約データに含まれる情報を含める
ことを特徴とする請求項１から３のいずれか１つに記載の契約関連情報管理装置。 
【請求項５】
前記為替予約データは、前記契約データに含まれる情報として、前記契約を識別可能な識別情報を含んでいる
ことを特徴とする請求項１から４のいずれか１つに記載の契約関連情報管理装置。 
【請求項６】
取引の契約に関連する契約関連情報を管理するための、制御部を備えた情報処理装置で実行される契約関連情報管理方法であって、
前記契約関連情報を含む契約データを作成する契約データ作成ステップと、
前記契約に付随して必要となる為替予約に関する為替予約データを作成する為替予約データ作成ステップと
を含み、
前記為替予約データ作成ステップでは、前記為替予約データとして、
前記契約データ作成ステップで作成された前記契約データに含まれる情報を含む為替予約データを作成する
ことを特徴とする契約関連情報管理方法。 
【請求項７】
取引の契約に関連する契約関連情報を管理するための、制御部を備えた情報処理装置に実行させるための契約関連情報管理プログラムであって、
前記制御部に実行させるための、
前記契約関連情報を含む契約データを作成する契約データ作成ステップと、
前記契約に付随して必要となる為替予約に関する為替予約データを作成する為替予約データ作成ステップと
を含み、
前記為替予約データ作成ステップでは、前記為替予約データとして、
前記契約データ作成ステップで作成された前記契約データに含まれる情報を含む為替予約データを作成する
ことを特徴とする契約関連情報管理プログラム。
【発明の詳細な説明】
【技術分野】
【０００１】
本発明は、契約関連情報管理装置、契約関連情報管理方法および契約関連情報管理プログラムに関する。
【背景技術】
【０００２】
特許文献１には、貿易の決済において、Ｌ／Ｃ（Ｌｅｔｔｅｒ  Ｏｆ  Ｃｒｅｄｉｔ）決済データと為替予約のデータを連携して処理するシステムが開示されている（０００５段落等参照）。
【先行技術文献】
【特許文献】
【０００３】
【特許文献１】特開２００６−３４３９９８号公報
【発明の概要】
【発明が解決しようとする課題】
【０００４】
商社等の複数の通貨を使用する事業者においては、取引契約段階で営業部門から財務部門に為替予約を依頼し、それに基づき財務部門が為替予約を行うという実務がよく存在する。しかし、為替予約と契約を紐づけるという事が想定されていなかったため、人の判断にて契約に応じた為替予約を選ぶか、又はシステム外で管理しなければならなかった。
【０００５】
本発明は、上記に鑑みてなされたものであって、契約と為替予約とを紐づけることにより、契約に為替予約を振当てることができる契約関連情報管理装置、契約関連情報管理方法および契約関連情報管理プログラムを提供することを目的とする。
【課題を解決するための手段】
【０００６】
上述した課題を解決し、目的を達成するために、本発明に係る契約関連情報管理装置は、取引の契約に関連する契約関連情報を管理するための、制御部を備えた契約関連情報管理装置であって、前記制御部は、前記契約関連情報を含む契約データを作成する契約データ作成手段と、前記契約に付随して必要となる為替予約に関する為替予約データを作成する為替予約データ作成手段とを備え、前記為替予約データ作成手段は、前記為替予約データとして、前記契約データ作成手段で作成された前記契約データに含まれる情報を含む為替予約データを作成することを特徴とする。
【０００７】
また、本発明に係る契約関連情報管理装置においては、前記為替予約データ作成手段は、前記為替予約データに基づき、前記為替予約を依頼する為替予約依頼データを作成することを特徴とする。
【０００８】
また、本発明に係る契約関連情報管理装置においては、前記為替予約データ作成手段は、前記為替予約の入力に基づき、前記為替予約データを更新することを特徴とする。
【０００９】
また、本発明に係る契約関連情報管理装置においては、事前に締結された前記為替予約を示す為替予約データを選出する選出手段をさらに備え、前記為替予約データ作成手段は、前記選出手段が選出した為替予約データから選択された前記為替予約データが示す前記為替予約に関する前記為替予約データを作成することを特徴とする。
【００１０】
また、本発明に係る契約関連情報管理装置においては、前記契約データに含まれる情報として、前記契約を識別可能な識別情報を含んでいることを特徴とする。
【００１１】
また、本発明に係る契約関連情報管理方法は、取引の契約に関連する契約関連情報を管理するための、制御部を備えた情報処理装置で実行される契約関連情報管理方法であって、前記契約関連情報を含む契約データを作成する契約データ作成ステップと、前記契約に付随して必要となる為替予約に関する為替予約データを作成する為替予約データ作成ステップとを含み、前記為替予約データ作成ステップでは、前記為替予約データとして、前記契約データ作成ステップで作成された前記契約データに含まれる情報を含む為替予約データを作成することを特徴とする。
【００１２】
また、本発明に係る契約関連情報管理プログラムは、取引の契約に関連する契約関連情報を管理するための、制御部を備えた情報処理装置に実行させるための契約関連情報管理プログラムであって、前記制御部に実行させるための、前記契約関連情報を含む契約データを作成する契約データ作成ステップと、前記契約に付随して必要となる為替予約に関する為替予約データを作成する為替予約データ作成ステップとを含み、前記為替予約データ作成ステップでは、前記為替予約データとして、前記契約データ作成ステップで作成された前記契約データに含まれる情報を含む為替予約データを作成することを特徴とする。
【発明の効果】
【００１３】
本発明によれば、契約と為替予約とを紐づけることにより、契約に為替予約を振当てることができる、という効果を奏する。
【図面の簡単な説明】
【００１４】
【図１】図１は、契約関連情報管理装置の構成の一例を示すブロック図である。
【図２】図２は、契約入力画面の一例を示す図である。
【図３】図３は、為替予約依頼画面の一例を示す図である。
【図４】図４は、契約入力処理で作成される契約データの一例を示す図である。
【図５】図５は、契約入力処理で作成される為替予約データの一例を示す図である。
【図６】図６は、為替予約依頼書画面（範囲指定）の一例を示す図である。
【図７】図７は、為替予約依頼書画面（帳票イメージ）の一例を示す図である。
【図８】図８は、為替予約入力画面の一例を示す図である。
【図９】図９は、為替予約依頼処理で更新された為替予約データの一例を示す図である。
【図１０】図１０は、売上入力画面の一例を示す図である。
【図１１】図１１は、為替予約振当画面の一例を示す図である。
【図１２】図１２は、売上入力処理で更新された契約データの一例を示す図である。
【図１３】図１３は、売上入力処理で作成される売上データの一例を示す図である。
【図１４】図１４は、為替予約マスタの一例を示す図である。
【発明を実施するための形態】
【００１５】
以下に、本発明に係る契約関連情報管理装置、契約関連情報管理方法および契約関連情報管理プログラムの実施形態を、図面に基づいて詳細に説明する。なお、本実施形態によりこの発明が限定されるものではない。
【００１６】
［１．概要］
商社等の複数の通貨を使用する事業者においては、取引の契約段階で営業部門から財務部門に為替予約を依頼し、それに基づき財務部門が為替予約を行うという実務がよく存在する。しかし、為替予約と契約を紐づけるという事が想定されていなかったため、人の判断にて契約に応じた為替予約を選ぶか、又はシステム外で管理しなければならなかった。
【００１７】
そこで、本実施形態においては、例えば、契約、為替予約依頼、及び為替予約等の処理を一連の処理として紐づける。これにより、契約に為替予約を振当てることが可能になる。さらに、システム内において、契約、為替予約依頼、及び為替予約を紐付けるため、システム外の管理が削減されるため業務の効率向上を期待することができる。また、為替予約の管理精度が向上するため、外貨取引の財務数値の精度向上にも貢献することができる。以下、具体的な構成および動作について説明する。
【００１８】
［２．構成］
本実施形態に係る契約関連情報管理装置１００の構成について、図１を用いて説明する。図１は、契約関連情報管理装置１００の構成の一例を示すブロック図である。
【００１９】
契約関連情報管理装置１００は、市販のデスクトップ型パーソナルコンピュータである。なお、契約関連情報管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２０】
契約関連情報管理装置１００は、図１に示すように、制御部１０２と通信インターフェース部１０４と記憶部１０６と入出力インターフェース部１０８と、を備えている。契約関連情報管理装置１００が備えている各部は、任意の通信路を介して通信可能に接続されている。
【００２１】
通信インターフェース部１０４は、ルータ等の通信装置および専用線等の有線または無線の通信回線を介して、契約関連情報管理装置１００をネットワーク３００に通信可能に接続する。通信インターフェース部１０４は、他の装置と通信回線を介してデータを通信する機能を有する。ここで、ネットワーク３００は、契約関連情報管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００２２】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２３】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２４】
記憶部１０６は、契約マスタ１０６ａと、為替予約マスタ１０６ｂと、売上マスタ１０６ｃとを備えている。これらのうち、売上マスタ１０６ｃは任意の構成要素であるが、記憶部１０６に含まれることが好ましい。なお、各データおよび各マスタが含む内容の概略は以下のとおりであるが、各データおよび各マスタが含む項目の詳細は、以下［３．処理の具体例］で説明する。
【００２５】
以下の説明においては、商社等の複数の通貨を使用した取引を行う取引者が、為替予約を伴う取引を行うという場面を想定している。
【００２６】
契約マスタ１０６ａは、為替予約を伴う取引の契約に関連する契約データを記憶している。為替予約マスタ１０６ｂは、契約に付随して必要となる為替予約に関する為替予約データを記憶している。さらに、為替予約マスタ１０６ｂは、財務部門等により契約を特定せずに包括的に締結された為替予約に関する為替予約データを記憶している。売上マスタ１０６ｃは、為替予約を伴う取引の契約の売上に関連する売上データを記憶している。
【００２７】
制御部１０２は、契約関連情報管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００２８】
制御部１０２は、機能概念的に、（１）前記契約関連情報を含む契約データを作成する契約データ作成手段としての契約データ作成部１０２ａと、（２）前記契約に付随して必要となる為替予約に関する為替予約データを作成し、前記為替予約データとして、前記契約データ作成手段で作成された前記契約データに含まれる情報を含む為替予約データを作成するとしての為替予約データ作成部１０２ｂと、（３）売上データを作成する売上データ作成としての売上データ作成部１０２ｃと、（４）事前に締結された前記為替予約を示す為替予約データを選出する選出手段としての為替予約振当部１０２ｄとを備えている。売上データ作成部１０２ｃと、為替予約振当部１０２ｄとは、任意の構成要素であるが、制御部１０２に含まれることが好ましい。なお、各部が実行する処理の詳細については、以下の［３．処理の具体例］にて詳細に説明する。
【００２９】
［３．処理の具体例］
以下、本実施形態に係る処理の具体例について、図２〜図１４を用いて詳細に説明する。図２は、契約入力画面の一例を示す図である。図３は、為替予約依頼画面の一例を示す図である。図４は、契約入力処理で作成される契約データの一例を示す図である。図５は、契約入力処理で作成される為替予約データの一例を示す図である。図６は、為替予約依頼書画面（範囲指定）の一例を示す図である。図７は、為替予約依頼書画面（帳票イメージ）の一例を示す図である。図８は、為替予約入力画面の一例を示す図である。図９は、為替予約依頼処理で更新された為替予約データの一例を示す図である。図１０は、売上入力画面の一例を示す図である。図１１は、為替予約振当画面の一例を示す図である。図１２は、売上入力処理で更新された契約データの一例を示す図である。図１３は、売上入力処理で作成される売上データの一例を示す図である。図１４は、為替予約マスタの一例を示す図である。
【００３０】
本実施形態に係る処理の概要は以下のとおりである。
【００３１】
契約データ作成部１０２ａは、契約入力画面において、契約内容が登録された場合に、登録された契約内容を記憶した契約データと、登録された契約の為替予約に関する為替予約データとを作成する。この際、契約データ作成部１０２ａは、為替予約データの「締結区分」を「依頼」として作成する。これにより、為替予約データは、「為替予約依頼」と識別される。
【００３２】
為替予約データ作成部１０２ｂは、為替予約依頼書を作成する操作が受け付けられた場合に、為替予約依頼書画面（範囲指定）を表示させる。為替予約データ作成部１０２ｂは、為替予約依頼書画面（範囲指定）で依頼書の発行を指示する操作を受け付けた場合に、為替予約データに基づいて、為替予約依頼書の帳票イメージを作成する。 
【００３３】
また、為替予約データ作成部１０２ｂは、為替予約依頼書に基づいて財務部門等が為替予約を締結した場合に、締結した為替予約に関する情報を入力する為替予約入力画面を表示させる。為替予約データ作成部１０２ｂは、為替予約入力画面で入力された内容に基づいて、為替予約データを更新する。すなわち、為替予約データ作成部１０２ｂは、為替予約データの「締結区分」を「締結済」にする。
【００３４】
また、為替予約データ作成部１０２ｂは、為替予約振当画面において、契約に振当てた為替予約を確定する。これにより、為替予約データ作成部１０２ｂは、契約と為替予約とを紐付ける。
【００３５】
売上データ作成部１０２ｃは、取引の売上を入力する操作を受け付けた場合に、売上入力画面を表示させる。そして、売上データ作成部１０２ｃは、売上入力画面で入力された売上内容が記憶された売上データを作成する。
【００３６】
以下、本実施形態に係る処理の詳細を説明するが、以下においては、得意先から受注し、銀行等から外貨を購入する為替予約を行う場合を想定して説明する。すなわち、銀行等が外貨を売る売予約を行う場合を想定して説明する。しかし、銀行等が外貨を売る売予約に限らず、銀行等が外貨を買う買予約であってもよい。すなわち、仕入先への発注に係る取引に際して、為替予約を行うという場合であってもよい。また、下記処理は、ワークフローにより、電子承認や各種情報の入力により実現されることを想定している。しかし、下記処理は、ワークフローに限らず、伝票等を印字出力して、各段階で承認を記入することにより実現されてもよい。
【００３７】
（契約入力処理）
契約データ作成部１０２ａは、取引の契約を入力する操作を受け付けた場合に、契約を識別可能な識別情報として契約番号を自動的に採番して、図２に示すように、契約入力画面を表示させる。この際、契約データ作成部１０２ａは、得意先から受注した場合の売契約や、仕入先への発注した場合の買契約等の発生区分の指定を受け付ける。なお、契約入力画面は、売契約と、買契約とが共にある場合には其々の入力を受け付ける。
【００３８】
図２に示すように、契約入力画面は、取引の契約に関連する契約関連情報を含む各種情報を受け付ける。例えば、契約入力画面には、「事業所」「担当者」「請求先」「得意先」「通貨」「税抜外貨売上金額」等の入力を受け付ける入力欄を有している。また、契約入力画面は、為替予約ボタンを備えている。
【００３９】
為替予約データ作成部１０２ｂは、為替予約ボタンが押下された場合に、図３に示す為替予約依頼画面を表示させる。為替予約依頼画面は、財務部門等に依頼する為替予約の内容を入力する画面である。為替予約依頼画面は、依頼する為替予約の内容を入力する複数の入力欄を有している。為替予約データ作成部１０２ｂは、為替予約依頼画面の「発生区分」「予約日」「通貨」「予定金額」には、図２に示す契約入力画面で入力された「発生区分」「予約日」「通貨」「予定金額」を表示する。そして、為替予約データ作成部１０２ｂは、「予約区分」「予約日」「開始期日」「終了期日」「依頼銀行」「予約金額」の入力を受け付ける。ここで、契約入力画面で入力済みの内容について変更を禁止する場合には、為替予約データ作成部１０２ｂは、グレーアウト等により変更禁止であることを明示して表示してもよい。
【００４０】
そして、入力を終了する操作を受け付けた場合に、ワークフローが起票される。また、契約データ作成部１０２ａは、契約入力画面及び為替予約依頼画面で入力された情報に基づいて、図４に示す契約データを作成する。また、契約データ作成部１０２ａは、作成した契約データを契約マスタ１０６ａに記憶させる。また、為替予約データ作成部１０２ｂは、為替予約データを識別可能な為替予約伝票番号を自動的に採番して、図５に示す為替予約データを作成する。為替予約データには、契約番号等の契約データに含まれる情報を有している。そして、為替予約データ作成部１０２ｂは、作成した為替予約データを為替予約マスタ１０６ｂに記憶させる。ここで、図５に示す為替予約データにおいて空白の項目、つまり為替予約を識別可能な「為替予約番号」と、為替予約の通貨の交換比率を示す「レート」とは、為替予約が行われた場合に入力される。この際、為替予約データの「締結状況」は図５に示すとおり「依頼」として作成される。これが、為替予約データの中で「為替予約依頼」という意味を持つ情報となる。すなわち、為替予約データ作成部１０２ｂは、為替予約依頼データを作成する。
【００４１】
また、図５に示す為替予約データの「締結状態」は、為替予約データの状態を示している。「締結状態」には、「依頼」や「締結済」等がある。「依頼」は、為替予約を依頼中の為替予約データであることを示している。「締結済」は、為替予約が締結済みである為替予約データであることを示している。なお、為替予約データのデータ構成は一例であって異なるデータ構成であってもよい。また、「締結状態」の其々の状態ごとにデータを作成してもよい。
【００４２】
（為替予約依頼処理）
為替予約データ作成部１０２ｂは、為替予約を依頼する伝票を作成する操作を受け付けた場合に、図６に示す為替予約依頼書画面（範囲指定）を表示させる。図６に示す為替予約依頼書画面（範囲指定）は、為替予約依頼書に含まれる各項目の入力を受け付ける。
【００４３】
為替予約データ作成部１０２ｂは、図６に示す為替予約依頼書画面（範囲指定）で為替予約依頼書を発行する操作を受け付けた場合に、為替予約を依頼する為替予約依頼データとして、図７に示す為替予約依頼書画面（帳票イメージ）を作成し、表示する。また、為替予約データ作成部１０２ｂは、図７に示す為替予約依頼書の帳票イメージを出力する。ここで、出力形態は、限定しない。例えば、プリンタにより印字出力してもよいし、ネットワーク３００を介する送信により出力してもよい。なお、この際の対象となるデータは、為替予約データのうち「締結区分」が「依頼」となっている情報である。
【００４４】
（為替予約入力処理）
為替予約データ作成部１０２ｂは、為替予約を入力する操作を受け付けた場合に、図８に示す為替予約入力画面を表示する。為替予約データ作成部１０２ｂは、図８に示す為替予約入力画面において、為替予約伝票番号が入力された場合に、入力された為替予約伝票番号の為替予約データを為替予約マスタ１０６ｂから抽出する。そして、為替予約データ作成部１０２ｂは、抽出した為替予約データを為替予約入力画面として表示する。
【００４５】
また、為替予約データ作成部１０２ｂは、為替予約入力画面において、財務部門等により締結された為替予約に関する情報の入力を受け付ける。すなわち、為替予約データ作成部１０２ｂは、「為替予約番号」と、「予約レート」と、「締結状態区分」との入力を受け付ける。「為替予約番号」には、締結された為替予約を識別可能な番号が入力される。「予約レート」には、締結された為替予約の為替のレートが入力される。「締結状態区分」には、締結された為替予約の締結区分、つまり締結済みであることが入力される。そして、「締結区分」に「締結済」が入力されることで、後述の売上入力処理において、売上入力が可能になる。
【００４６】
為替予約データ作成部１０２ｂは、為替予約入力画面における各項目の入力が終了した場合に、図９に示すように、為替予約マスタ１０６ｂの為替予約データを更新する。すなわち、為替予約データ作成部１０２ｂは、「為替予約番号」「予約レート」「締結状態区分」について、為替予約入力画面で入力された入力内容に変更する。
【００４７】
（売上入力処理）
売上データ作成部１０２ｃは、売上入力画面を表示させる操作を受け付けた場合に、図１０に示す売上入力画面を表示させる。売上入力画面は、取引の売上に関する各種情報を受け付ける。そして、売上データ作成部１０２ｃは、「契約番号」が入力された場合に、入力された「契約番号」により特定される契約データを契約マスタ１０６ａから抽出して、売上入力画面に表示させる。但し、入力された契約番号を有する為替予約データの「締結状況」が「締結済み」ではない場合、その契約は、未だ為替予約が締結されていないため、売上を入力可能な状態ではない。よって、売上データ作成部１０２ｃは、「締結状況」が「締結済み」ではない契約データを売上入力画面に表示させない。
【００４８】
また、売上入力画面は、為替予約を振当てる振当ボタンを備えている。
【００４９】
為替予約データ作成部１０２ｂは、売上入力画面の振当ボタンが押下された場合に、図１１に示す為替予約振当画面を表示させる。為替予約振当画面は、売上入力画面で入力された取引に振当てた為替予約を確定する画面である。為替予約振当画面には、「契約番号」と、「通貨」と、「伝票金額」と、為替予約データとが表示される。為替予約データ作成部１０２ｂは、為替予約振当画面において、「契約番号」と、「通貨」と、「伝票金額」とについて、売上入力画面で入力された各内容を表示する。また、為替予約データ作成部１０２ｂは、為替予約データについては、売上入力画面で表示した契約番号と同一の契約番号を有する為替予約データを為替予約マスタ１０６ｂから抽出して表示する。但し、為替予約データ作成部１０２ｂは、売上入力画面で表示した契約番号と同一の契約番号を有する為替予約データの「締結状態」が「締結済」になっていない場合には、表示しない。
【００５０】
契約データ作成部１０２ａは、為替予約の振当てが確定し、売上入力を終了する操作が受け付けられた場合に、図１２に示すように売上入力の対象の契約の契約データを更新する。すなわち、契約データ作成部１０２ａは、契約マスタ１０６ａに記憶された対象の取引データの「売上済区分」に売上済を登録する。また、売上データ作成部１０２ｃは、図１３に示す売上データを作成する。そして、売上データ作成部１０２ｃは、作成した売上データを売上マスタ１０６ｃに記憶する。
【００５１】
（為替予約振当処理）
ところで、事前に包括的に為替予約を締結している場合がある。すなわち、対象となる契約を特定することなく為替予約を締結している場合がある。そして、既に振当てられた為替予約とは別に、事前に締結した為替予約を更に契約に振当てたい場合がある。そこで、為替予約振当部１０２ｄは、契約番号が登録されていない為替予約データを、為替予約振当画面に表示してもよい。
【００５２】
さらに詳しくは、財務部門等により契約を特定せずに包括的に締結された為替予約を示す為替予約データは、為替予約マスタ１０６ｂに記憶されている。為替予約振当部１０２ｄは、条件に適合する為替予約データを、為替予約マスタ１０６ｂから選出してリストアップする。しかし、為替予約マスタ１０６ｂには、他の契約に振当て済みの為替予約データも含まれている。そこで、為替予約振当部１０２ｄは、振当てようとしている契約用の為替予約データ、又は何れの契約にも振当てられていない為替予約データであることを条件に選出する。
【００５３】
例えば、契約番号「Ａ００００００１」の契約に対して為替予約データを振当てる場合であって、図１４に示す為替予約マスタ１０６ｂから為替予約データを選出する場合を例に説明する。為替予約振当部１０２ｄは、図１１に示す為替予約振当画面を表示する場合に、為替予約振当画面の「契約番号」の入力欄に、該当する契約の契約データに含まれている契約番号を入力した状態で表示する。すなわち、為替予約振当部１０２ｄは、初期状態においては、「Ａ００００００１」を契約番号の入力欄に入力した状態で為替予約振当画面を表示する。この場合、為替予約振当部１０２ｄは、契約番号「Ａ００００００１」を含む為替予約データに含まれている為替予約番号「ＫＷＳ００１」の為替予約データを表示する。
【００５４】
一方、図１１に示す為替予約振当画面の「契約番号」の入力欄に入力された番号が削除された場合に、為替予約振当部１０２ｄは、為替予約伝票番号「ＫＷＳ００４」及び「ＫＷＳ００５」の為替予約データを表示する。そして、為替予約振当部１０２ｄは、為替予約伝票番号「ＫＷＳ００２」及び「ＫＷＳ００３」の為替予約データについては、他の契約に振当て済みであるため表示しない。これにより、為替予約振当部１０２ｄは、他の契約に振当て済みの為替予約を選択不能にする。
【００５５】
為替予約振当部１０２ｄは、リストアップされた為替予約データから振当てる為替予約データを選択する入力を受け付ける。そして、為替予約データ作成部１０２ｂは、選択された為替予約データが示す為替予約を契約に振当てる。すなわち、為替予約データ作成部１０２ｂは、選択された為替予約データの「為替予約番号」及び「レート」を追加した為替予約データを作成する。
【００５６】
このように、本実施形態によれば、契約関連情報管理装置１００は、契約内容が入力された場合に、契約データを作成する。また、契約関連情報管理装置１００は、契約データに含まれる契約番号の情報を含む為替予約データを作成する。この際、契約関連情報管理装置１００は、為替予約データに含まれる「締結状態」には「依頼」が登録される。これにより、契約関連情報管理装置１００は、財務部門等に為替予約を依頼する為替予約データ、つまり為替予約依頼データを作成する。
【００５７】
契約関連情報管理装置１００は、財務部門等により為替予約が締結され、締結された為替予約に関する情報が図１１に示す為替予約入力画面で入力されたことに伴い、為替予約データを更新する。
【００５８】
そして、契約関連情報管理装置１００は、契約の売上入力において、該当する契約に振当てられた為替予約データを確定する。また、契約関連情報管理装置１００は、振当てられた為替予約データとは別の為替予約データを更に振当てたい場合には、図１１に示す為替予約振当画面で振当てる為替予約データを選択する。そして、契約関連情報管理装置１００は、選択された為替予約データが示す為替予約を振当てる。よって、本実施形態に係る契約関連情報管理装置１００は、契約に為替予約を振当てることができる。
【００５９】
［４．他の実施形態］
本発明は、上述した実施形態以外にも、特許請求の範囲に記載した技術的思想の範囲内において種々の異なる実施形態にて実施されてよいものである。
【００６０】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６１】
また、本明細書中や図面中で示した処理手順、制御手順、具体的名称、各処理の登録データや検索条件等のパラメータを含む情報、画面例、データベース構成については、特記する場合を除いて任意に変更することができる。
【００６２】
また、契約関連情報管理装置１００に関して、図示の各構成要素は機能概念的なものであり、必ずしも物理的に図示の如く構成されていることを要しない。
【００６３】
例えば、契約関連情報管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて契約関連情報管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６４】
また、このコンピュータプログラムは、契約関連情報管理装置１００に対して任意のネットワークを介して接続されたアプリケーションプログラムサーバに記憶されていてもよく、必要に応じてその全部または一部をダウンロードすることも可能である。
【００６５】
また、本実施形態で説明した処理を実行するためのプログラムを、一時的でないコンピュータ読み取り可能な記録媒体に格納してもよく、また、プログラム商品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明したような処理又は処理方法を実行するためのプログラムを格納した記録媒体もまた本発明を構成することとなる。
【００６６】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００６７】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００６８】
また、契約関連情報管理装置１００は、既知のパーソナルコンピュータまたはワークステーション等の情報処理装置として構成してもよく、また、任意の周辺装置が接続された当該情報処理装置として構成してもよい。また、契約関連情報管理装置１００は、当該装置に本実施形態で説明した処理を実現させるソフトウェア（プログラムまたはデータ等を含む）を実装することにより実現してもよい。
【００６９】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７０】
本発明は、商社等の複数の通貨を使用する事業者に有用である。
【符号の説明】
【００７１】
１００  契約関連情報管理装置
１０２  制御部
１０２ａ  契約データ作成部
１０２ｂ  為替予約データ作成部
１０２ｃ  売上データ作成部
１０２ｄ  為替予約振当部
１０４  通信インターフェース部
１０６  記憶部
１０６ａ  契約マスタ
１０６ｂ  為替予約マスタ
１０６ｃ  売上マスタ
１０８  入出力インターフェース部
１１２  入力装置
１１４  出力装置
２００  サーバ
３００  ネットワーク
【図１】
2019220108.tif 000003
【図２】
2019220108.tif 000004
【図３】
2019220108.tif 000005
【図４】
2019220108.tif 000006
【図５】
2019220108.tif 000007
【図６】
2019220108.tif 000008
【図７】
2019220108.tif 000009
【図８】
2019220108.tif 000010
【図９】
2019220108.tif 000011
【図１０】
2019220108.tif 000012
【図１１】
2019220108.tif 000013
【図１２】
2019220108.tif 000014
【図１３】
2019220108.tif 000015
【図１４】
2019220108.tif 000016